(57)【要約】      （修正有）【課題】水の供給が止まり、復旧に長期間を要する。被災後の生活で最も必要とされる水である。飲料水は行政から供給されることが多いが、大量に使用する雑用水は個々の調達である。現在、大半の家庭で雨水は排水路に捨てられている。雨水を取出し雑用水として利用する縦樋部材を提供する。【解決手段】縦樋を流路として雨水が流れ落ちる中間部に、災害用縦樋雨水切替弁を配設して流路を替え、雨水を取出すものである。縦樋上部に接続する直管部４と前記直管部４から分岐した雨水取出管５と前記直管部４を横切る方向にスライドするスライド体１４と前記直管部４に一体形成されたスライド体の収納体１２を設け、前記直管部４の内周部に形成の上下の突起１１の間のスライド体を案内する溝部で構成された災害用縦樋雨水切替弁であり、スライド体１４のスライドで密閉及び開放を自在に行うことで雨水の切替を行い、流路を変えることにより雨水を取出すものである。【選択図】図７
2020172803.tif 000002
【特許請求の範囲】
【請求項１】
災害時に、縦樋からの雨水の流路を切替えて、雨水を縦樋から取り出すための災害用縦樋雨水切替弁であって、縦樋に接続する直管部と、前記直管部から分岐した雨水取出管と、前記直管部を横切る方向にスライドするスライド体と、前記直管部と一体のスライド体の収納体と、前記直管部の内周部に前記スライド体を案内する溝部とを備えたことを特徴とする災害用縦樋雨水切替弁。
【請求項２】
前記スライド体のスライドを案内する係合部を、前記スライド体及び前記スライド体の収納体に設けた請求項１記載の災害用縦樋雨水切替弁。
【請求項３】
請求項１又は２に記載の災害用縦樋雨水切替弁の取付方法であって、通常時には、災害用縦樋雨水切替弁の寸法に合わせて切断して取出した中間筒を、ソケットを用いて上部と下部で接続して設置しておき、災害時に前記中間筒を前記災害用縦樋雨水切替弁に取り替えることを特徴とする災害用縦樋雨水切替弁の取付方法。
【発明の詳細な説明】
【技術分野】
【０００１】
本発明は、南海トラフ大地震発生時に、水道施設が広域に渡り大規模な被害を受けることが想定され、復旧は長期化し、被災者がライフラインで最も必要とするのは水であるので、大量に必要とされる雑用水を雨水から集水する縦樋雨水切替弁に関する。
【背景技術】
【０００２】
従来雨水を利用する技術として、目的や用途に応じた特許文献が開示されている。例えば、特許文献１には縦樋の中間部にごみ受部を設けることにより、縦樋を通過するごみを捕捉する技術が開示されている。また、特許文献２には二方向分岐管を用いてスライダーバルブで密閉及び開放を行い、排水方向を変える技術が開示されている。
【先行技術文献】
【特許文献】
【０００３】
【特許文献１】特開２００８-１７５０４２
【特許文献２】特開平９-２１１６５
【発明の概要】
【発明が解決しようとする課題】
【０００４】
しかしながら、特許文献１の縦樋分岐継手では、縦樋の中間にY字管を利用した迂回路と直進する導水管の手前に、スクリーンを配設してごみを除去し、雨水溜室を設けて溜まった雨水はホース径の接続管を通して貯水槽に排出する。水溜室の下部に小穴を設けてごみや砂塵などを自然に排出する構成である。しかしながら、上記特許文献１に記載されている発明は、地震などの災害時、一般市販品を用いて組み立て使用するとあるが、市販品の調達には困難を極める。また、迂回路にエルボやソケットを組み合わせる複雑な構成であり、ごみを捕捉するスクリーンなど費用が掛かりすぎて採用が難しい。
【０００５】
特許文献２の雨水利用装置では、縦樋の中間に三方向分岐管を設け雨水をタンクや用水槽に蓄えたり、地面に浸透させたり、多機能的な利用を目的とした装置で、手動及び自動のバルブを備えた雨水利用のノウハウを合わせ持った雨水利用の装置であるので、大がかりで限定的な場所にしか使用できず、費用と組立時間を要するので、一般家庭での採用は難しい。
【０００６】
本発明は、前記のような問題を解決するためになされたもので、災害時には迅速な対応が必要で、例えばごみを取除くのに複雑な構成のスクリーンは必要でなく、市販の継手掃除口を装着することで解決できる。雨水切替には、簡略化したシンプルな構成で、簡単に確実にできる機能を有し、また簡単な操作で扱うことができ、一般家庭でも採用することができる経済的な災害用縦樋雨水切替弁を提供する。
【課題を解決するための手段】
【０００７】
前記課題を解決するために、本発明の災害用縦樋雨水切替弁（以下、「雨水切替弁」という。）によれば、平常時には既設の縦樋の中間部を前記雨水切替弁の寸法で切断し、切断した中間筒を継手ソケットを用いて縦樋上部端部と縦樋下部を嵌め込み接続し、樋取付金具を用いて取付ける。切断した中間筒を使用し、既存の縦樋と同じ形態で利用できるので、費用が掛からないことが好ましい。また、切断した縦樋部にスペーサーを使用してもよい。
【０００８】
災害時は、樋取付金具を外し、継手ソケットから中間筒を外して、太陽光や風雨による劣化を防ぐため屋内で保管の雨水切替弁を縦樋上部及び縦樋下部に嵌め込み接続し、分岐した雨水取出管端部に接続された継手掃除口部閉口栓を開放し、スライド体の収納体に収納されたスライド体をスライドし密閉する。
【０００９】
この形態により、雨水は雨水切替弁の直管部に溜り流路を替えて、分岐した雨水取出管端部に接続された継手掃除口部より取出され、地面に置かれた仮設容器に貯水され、雑用水として利用する。なお、前記継手掃除口部に布など浄水効果のあるものを取付けることで、良質の水が取出せる。また、仮設容器はバケツなど積み重ねられる容器が好ましい。
【００１０】
また、縦樋に接続する直管部と前記直管部から分岐した雨水取出管と、前記直管部を横切る方向にスライドするスライド体と、前記直管部と一体形成され内側下部に凸部形状の突起を設けたスライド体の収納体と、前記直管部の内周部上下二箇所に凸部形状の突起を形成し、前記スライド体を案内するための溝部とを備えたことを特徴とする災害用縦樋雨水切替弁。
【００１１】
前記スライド体の下部に凹部形状の溝部（係合部）を端部まで設け、前記スライド体の収納体の内側下部に設けた凸部形状の突起（係合部）に嵌め込みスライドして、密閉及び開放を自在に行う。この構成により、前記スライド体上部と前記直管部の内周部に形成された突起下部のクリアランスを最小限に保てることで、漏水を抑え密閉性がよくなる。
【発明の効果】
【００１２】
南海トラフ地震など大地震発生時、水道設備が広域に破壊され供給が止まり、復旧には長期間を要することが想定される。被災生活の中で最も必要とされる一つが水であり、ライフラインで水道に頼ってきた生活は困難を極めることになる。
【００１３】
飲料水は行政から供給される場合が多いが、最も多く使用する雑用水（水洗トイレ・室内掃除・食器の下洗いなど）は個々での調達である。地震による災害時でも、全半壊を免れる家屋が大半であると想定されるが、震災後も家庭で雨水を取出して雑用水として利用できる。自宅で雨水を直接集水できることで、他の場所から雑用水を運ぶという大きな手間が省ける。
【００１４】
被災後は資機材不足や混乱が想定されるなか、製品化された手間のかからない物品が要求される。前記雨水切替弁は主要部が一体形成されているため変形や歪みがなく、シンプルな構成で耐久性・安全性・メンテナンス性に優れ、簡単に取付ができ、しかも女性や高齢者でも容易に操作できることを特徴とする前記雨水切替弁である。
【００１５】
前記したように、一体形成で製品化されたもので、上下の長さは略２０cmとコンパクトであり、しかも軽量で経済的であり、一般家庭に負担が少ない前記雨水切替弁を提供する。
【図面の簡単な説明】
【００１６】
【図１】本発明の実施形態に係る雨水切替弁の取付箇所側面図である。
【図２】本実施形態に係る雨水切替弁の取付箇所の縦樋を切断した側面図である。
【図３】本実施形態に係る雨水切替弁の斜面図である。
【図４】本実施形態に係る雨水切替弁の側面図である。
【図５】本実施形態に係る雨水切替弁の上面図である。
【図６】本実施形態に係る雨水切替弁の正面図である。
【図７】本実施形態に係る雨水切替弁の拡大断面図である。
【図８】本実施形態に係る雨水切替弁スライド体の収納断面図である。
【図９】本実施形態に係る雨水切替弁スライド体の側面図である。
【図１０】本実施形態に係る雨水切替弁スライド体の正面断面図である。
【図１１】本実施形態に係る雨水切替弁スライド体の収納体の上面断面図である。
【図１２】本実施形態に係る雨水切替弁スライド体の収納体の正面断面図である。
【図１３】本実施形態に係る雨水切替弁スライド体の収納体の側面断面図である。
【図１４】本実施形態に係る雨水切替弁スライド体の収納体の蓋断面図である。
【図１５】本実施形態に係る雨水切替弁継手掃除口部断面図である。
【図１６】本実施形態に係る雨水切替弁スライド体のスライド棒の平面図及び断面図である。
【発明を実施するための形態】
【００１７】
以下添付図面を参照として本発明の実施形態について説明するが、本発明は以下の実施形態に限定されたものではない。
【００１８】
まず図１から図２を用いて、平常時と災害時の実施形態について説明する。図１に示すように、縦樋の一部を雨水切替弁３の取付寸法に合わせて切断し、雨水切替弁３を取付ける。取付箇所は、地面から８０cmから１２０cm程の箇所が好ましい。雨水切替弁３の上部カップリング部７と切断された縦樋上部１と繋ぎ合うように接続するが、接続部は回転自在であってもよい。
【００１９】
また、前記雨水切替弁３と下部カップリング部８の接続は、切断された縦樋下部２を持ち上げ繋ぎ合わせるように接続するが、接続部は上部と同じ回転自在でよい。接続後、樋取付金具１８で固定し取付ける。
【００２０】
この形態で災害時の雨水の取出しをするが、雨水が縦樋上部１より直管部４を経て縦樋下部２より排水路へ排水している。雨水の流路を替えるには、スライド体の収納体の蓋１３を開放し、スライド体１４を挿入し密閉する。雨水は直管部４に溜り流路を替えて、分岐した雨水取出管カップリング部９に外接接続し、開放された継手掃除口部６の閉口栓２０より取出され、地面に置かれた仮設容器１７に貯水され、雑用水として利用される。
【００２１】
図２は、縦樋の中間部を切断し、縦樋上部１と縦樋下部２の中間筒２２を用いて、平常時は右側に示す図のように継手ソケット１９で接続し、樋取付金具１８を用いて固定し取付ける。この形態で雨水は縦樋を介して排水路に排水される。また、切断された中間筒２２は雨水切替弁３の取付寸法に合わせて切断されている。この形態は、大災害がいつ発生するかわからず、長期に渡り雨水切替弁３が太陽光や風雨に晒され劣化するのを防ぐためである。また、接続部は水圧がかからないため回転自在でよく、樋取付金具１８はステンレスなどの防錆素材を用いるのが好ましい。
【００２２】
前記の縦樋を継手ソケット１９を用いて接続した縦樋の固定は、樋取付金具１８を用いるが、取付箇所は、上部は継手ソケット１９の上部の縦樋と交わる箇所とする。この形態により、砂塵が接合部に詰るのを防ぐ。また、下部の継手ソケット１９と縦樋下部の縦樋の固定は、樋取付金具１８を用いるが、取付箇所は継手ソケット１９の下部縦樋２と交わる箇所とし、継手ソケット１９の下方向へのずれを防ぐ。
【００２３】
図３は、雨水切替弁３の斜面図である。雨水切替弁３は、直管部４、分岐雨水取出管部５、上部カップリング部７、下部カップリング部８、分岐雨水取出管カップリング部９、スライド体の収納体１２、スライド体の収納体の蓋１３で構成される。前記雨水切替弁は、硬質塩化ビニール素材で一体形成されているため歪みや変形が生じないので、均温性・耐久性などに優れている。
【００２４】
雨水は上方から直管部４を経て下方へ流れ落ちる。縦樋上部１が雨水切替弁３の上部カップリング部７に内接接続され、縦樋下部２は雨水切替弁３の下部カップリング部８に内接接続する。雨水切替弁３の上部カップリング部７の下部から分岐した雨水取出管５が湾曲分岐し、端部はカップリング部９である。また、直管部４と一体形成されたスライド体の収納体１２の端部に、脱着自在のスライド体の収納体の蓋１３が具備されている。
【００２５】
また、後記する継手掃除口部６は、分岐した雨水取出管カップリング部９に外接接続し、端部に設けられた継手掃除口部閉口栓２０を用いて密閉及び開放を自在に行い、雨水を取出し、地面に置かれた仮設容器１７で貯水して雑用水として利用する。また分岐した雨水取出管カップリング部９との接続部は回転自在であってよい。
【００２６】
次に図４から図７を用いて、実施形態について詳細に説明する。図４は雨水切替弁３の側面図である。上部カップリング部７より直管部４を経て、下部カップリング部８に接続した縦樋下部２より排水路へ排水する。
【００２７】
直管部４内部に通じている分岐した雨水取出管カップリング部９に外接接続する継手掃除口部６端部閉口栓２０は、形成されたネジにより密閉及び開放を自在に行い、ごみや砂塵の取除きや雨水の取出し口として用いる。また、ごみや砂塵の取除きは定期的に行うことが好ましい。
【００２８】
直管部内周部に一体形成された上下の突起１１の間の溝部が、スライド体を案内する溝部１０で、スライド体をスライドすることで密閉及び開放を自在にし、雨水の切替を安定かつ確実に行う。
【００２９】
図５は、雨水切替弁３の上面図である。７は上部カップリング部であり、５は分岐した雨水取出管であり、９は分岐した雨水取出管カップリング部であり、６の継手掃除口部が外接する。４は直管部であり、１２は直管部と一体形成された直管部４に外接したスライド体の収納体であり、１３はスライド体の収納体１２の蓋である。１４はスライド体であり、１１は内周部に形成の突起である。
【００３０】
スライド体の収納体１２は直管部４に外接し一体形成されており、端部は蓋１３を具備している。この構成にすることで、スライド体１４が砂塵による詰りなどの影響を受けることなく、安定かつ確実にスライドして密閉及び開放ができる。また、スライド体のスライド棒２１端部の角形形状の突起部をスライド体１４端部に設けられたコの字形状の部位に嵌め込み、スライド体１４を取出し、点検及び洗浄ができる。
【００３１】
図６は、雨水切替弁３の正面図である。継手掃除口部６を取外した図である。７は上部カップリング部であり、４は直管部、８は下部カップリング部、９は分岐した雨水取出管カップリング部であり、外接接続の継手掃除口部６より雨水を取出す。１１は直管部４の内周部上下２箇所に形成の突起であり、その間の溝部はスライド体１４を案内する溝部１０を構成する。１２はスライド体の収納体であり、１３は蓋であり、１４はスライド体である。
【００３２】
図７は、雨水切替弁３のスライド体１４及びスライド体の収納体１２の拡大図である。４は直管部であり、直管部４の内周部の上下２箇所に一体形成された突起１１を設け、中間の溝がスライド体１４を案内する溝部１０であり、スライド体１４がスライドして密閉及び開放を自在に行う。１２はスライド体の収納体であり、１３はスライド体の収納体の蓋である。１４はスライド体であり、８は下部カップリング部である。５は分岐した雨水取出管である。
【００３３】
図８は、スライド体１４の収納断面図である。スライド体の収納体１２に収納されたスライド体14である。本発明の雨水切替機能の構成部である。一体形成にすることで均温性・耐久性が得られ、コンパクトでシンプルな形態で雨水切替の機能を有し、取付が容易で簡単な操作で災害時に迅速に対応できることを特徴とする雨水切替弁３である。
【００３４】
本発明のスライド体１４の下部２箇所に、端部まで平行するスライド体凹部形状の溝部（係合部）１５を設ける。直管部４と一体形成されたスライド体の収納体１２の下部２箇所に一体形成されている凸部形状の突起部(係合部)１６を端部まで平行に設け、スライド体１４のガイドとして用いる。スライド体の収納体凸部形状の突起部（係合部）１６に、スライド体凹部形状の溝部（係合部）１５を嵌め込み、スライド体を案内する溝部１０にスライドし密閉及び開放を自在に行う。またこの構成によることで、安定かつ確実に行えることにより、ギャップを最小限に保て水密性の向上が図れる。
【００３５】
図９は、スライド体１４の側面断面図である。１５はスライド体凹部形状の溝部で、２箇所に平行し端部まで設けている。スライド体１４の形状は、内周部は半円状の形状をなし、端部はスライド時の挿入及び引出しに用いるためコの字状の形状である。スライド体１４の挿入及び取出しの操作は、スライド体１４端部のコの字形状の部位に、スライド体のスライド棒２１端部の角形形状の突起部を嵌め込み、スライド体のスライド棒２１を用いて手動でスライドし、密閉及び開放を行う。密閉時には、スライド体のスライド棒２１の端部は、スライド体の収納体１２の端部近傍にあるので、開放は容易である。
【００３６】
図１０は、スライド体１４の正面断面図である。１５はスライド体凹部形状の溝部（係合部）である。
【００３７】
図１１は、スライド体の収納体１２の上面断面図である。直管部４とスライド体の収納体１２及びスライド体の収納体凸部形状の突起部（係合部）１６は一体形成されている。
【００３８】
図１２は、スライド体の収納体１２の正面断面図である。１６はスライド体の収納体凸部形状の突起部（係合部）である。
【００３９】
図１３は、スライド体の収納体１２の側面断面図である。
【００４０】
図１４は、スライド体の収納体の蓋１３の断面図である。
【００４１】
図１５は、継手掃除口部６の断面図である。分岐した雨水取出管カップリング部９に外接接続し、雨水切替弁３内に溜まるごみや砂塵・固形物を取除くために設けられたもので、継手掃除口部６端部の継手掃除口部閉口栓２０を開き、取除くものである。また継手掃除口部の取付は、水圧がかからないため回転自在に接続されており、ごみが大量にある時は継手掃除口部６を取外すことにより作業がしやすくなる。
【００４２】
図１６は、スライド体のスライド棒の上面図及び正面断面図及び側面断面図である。前記したように、スライド体のスライド棒２１の端部の角形形状の突起を、スライド体１４端部のコの字形状の部位に嵌め込み、スライドすることで密閉及び開放を行う。また、反対側端部にはコの字形状の部位を設け、端部はスライド体の収納体１２の略先端部に達するので、スライドの操作は手動で行える。
【００４３】
また先行文献では、ごみや砂塵・固形物などを縦樋から取除く方法として、内周部にスクリーンなどを用いたものが開示されているが、いずれも費用が掛かり、一般家庭では採用が難しい。本発明は、市販の継手掃除口部６を用いることで、スクリーンなどを用いることなくごみや砂塵・固形物などを取除ける。
【００４４】
例えば、災害時に雨水切替弁３を取付けていた場合、継手掃除口部６の閉口栓を開放し、ごみや砂塵などを取除く。雨水切替弁３のスライド体の収納体の蓋１３を取外し、スライド体１４をスライド体のスライド棒２１を用いて挿入し密閉する。雨水は直管部４に溜り、流路を替え分岐した雨水取出管５へと流れ、接続された継手掃除口部６から取出され、地面に置かれた仮設容器１７で貯水される。仮設容器１７は、場所を必要としないバケツなどのような積み重ねられるものが好ましい。また、雨水取出し継手掃除口部に布袋などを取付けることで、ごみなどが取除かれ、良質の雑用水が得られる。また、通常この形態により雨水を簡単に取出し、花木の灌水や夏場の水まきなど多様な雨水の利用ができる。
【００４５】
また、災害時に雨水切替弁３を取付けていない場合、上下２箇所の樋取付金具１８を外して中間筒２２を取外し、継手ソケット１９を縦樋上部１及び縦樋下部２から抜取る。雨水切替弁３を用いて、上部カップリング部７を縦樋上部１に嵌め込み接続し、縦樋下部２を持ち上げ下部カップリング部８に嵌め込み接続し、樋取付金具１８で固定し取付ける。前記した雨水切替操作をして雨水を取出す。
【００４６】
例えば、継手掃除口部６からのごみなどの取除き及びスライド体の収納体１２からのごみなどの取除きは定期的に行い、ゴムホースを使い洗浄することが好ましい。
【符号の説明】
【００４７】
１  縦樋上部
２  縦樋下部
３  災害時縦樋雨水切替弁
４  直管部
５  分岐した雨水取出管
６  継手掃除口部
７  上部カップリング部
８  下部カップリング部
９  分岐した雨水取出管カップリング部
１０  スライド体を案内する溝部
１１  内円部に形成の突起
１２  スライド体の収納体
１３  スライド体の収納体の蓋
１４  スライド体
１５  スライド体凹部形状の溝部（係合部）
１６  スライド体の収納体凸部形状の突起部（係合部）
１７  仮設容器
１８  樋取付金具
１９  継手ソケット
２０  継手掃除口部閉口栓
２１  スライド体のスライド棒
２２  中間筒
【図１】
2020172803.tif 000003
【図２】
2020172803.tif 000004
【図３】
2020172803.tif 000005
【図４】
2020172803.tif 000006
【図５】
2020172803.tif 000007
【図６】
2020172803.tif 000008
【図７】
2020172803.tif 000009
【図８】
2020172803.tif 000010
【図９】
2020172803.tif 000011
【図１０】
2020172803.tif 000012
【図１１】
2020172803.tif 000013
【図１２】
2020172803.tif 000014
【図１３】
2020172803.tif 000015
【図１４】
2020172803.tif 000016
【図１５】
2020172803.tif 000017
【図１６】
2020172803.tif 000018
【手続補正書】
【提出日】令和1年10月23日(2019.10.23)
【手続補正１】
【補正対象書類名】特許請求の範囲
【補正対象項目名】全文
【補正方法】変更
【補正の内容】
【特許請求の範囲】
【請求項１】
災害時に、縦樋からの雨水の流路を切替えて、雨水を縦樋から取り出すための災害用縦樋雨水切替弁であって、
縦樋に接続する直管部と、
前記直管部から分岐した雨水取出管と、
前記直管部を横切る方向にスライドするスライド体と、
前記直管部と一体で前記直管部に外接する前記スライド体の収納体と、
前記収納体の端部に具備した蓋と、
前記直管部の内周部に前記スライド体を案内する溝部と
を備えたことを特徴とする災害用縦樋雨水切替弁。
【請求項２】
前記スライド体のスライドを案内する係合部を、前記スライド体及び前記スライド体の収納体に設けた請求項１記載の災害用縦樋雨水切替弁。
【請求項３】
災害用縦樋雨水切替弁の取付方法であって、
前記災害用縦樋雨水切替弁は、災害時に、縦樋からの雨水の流路を切替えて、雨水を縦樋から取り出すための災害用縦樋雨水切替弁であって、縦樋に接続する直管部と、前記直管部から分岐した雨水取出管と、前記直管部を横切る方向にスライドするスライド体と、前記直管部と一体のスライド体の収納体と、前記直管部の内周部に前記スライド体を案内する溝部とを備えており、
通常時には、前記災害用縦樋雨水切替弁の寸法に合わせて前記縦樋から切断して取出した中間筒を、ソケットを用いて上部と下部で前記縦樋に対して接続して設置しておき、災害時に前記中間筒を前記災害用縦樋雨水切替弁に取り替えることを特徴とする災害用縦樋雨水切替弁の取付方法。